(57)【要約】【課題】ハンドルを建具に対しより容易に取り付け及び取り外しできるようにすると共に、このような機能が建具の外観にできる限り影響を与えないようにする。【解決手段】建具１に取り付けられる本体７と、本体７を通じて前記建具１に着脱可能に取り付けられるハンドル８とを有している。本体７は、建具１の開閉方向ｘに沿った往復動可能に支持されると共にこの建具１における前記開閉方向ｘに直交する前端部１ｄに一部を臨ませたロック部材７２と、このロック部材７２の付勢部材７３とを備えている。ハンドル８は建具１の開閉方向ｘに沿った面１ｂ側から本体７内に差し込まれる差し込み部８２を有している。差し込まれる差し込み部８２により付勢部材７３の付勢に抗してロック部材７２が往動されると共に、この付勢によるこの差し込みの終了位置でのロック部材７２の復動によってロック部材７２が差し込まれた差し込み部８２に係合される。【選択図】図８
2012077461.tif 000002
【特許請求の範囲】
【請求項１】
横引き開閉の建具に取り付けられる本体と、この本体を通じて前記建具に着脱可能に取り付けられるハンドルとを有しており、
前記本体は、前記建具の開閉方向に沿った往復動可能に支持されると共にこの建具における前記開閉方向に直交する前端部に一部を臨ませたロック部材と、このロック部材の付勢部材とを備えており、
前記ハンドルは前記建具の開閉方向に沿った面側から本体内に差し込まれる差し込み部を有しており、
差し込まれる差し込み部により前記付勢部材の付勢に抗してロック部材が往動されると共に、この付勢によるこの差し込みの終了位置でのロック部材の復動によってロック部材が差し込まれた差し込み部に係合されるようになっていることを特徴とするハンドル装置。
【請求項２】
ハンドルの差し込み部はその差し込み先端に頭部を有していると共に、
ロック部材は、前記頭部の通過部と、この頭部により形成される前記差し込み部の顎部に対する係合穴部とを、通過部に係合穴部を連通させるようにして備えていることを特徴とする請求項１に記載のハンドル装置。
【請求項３】
建具の表面側に取り付けられるハンドルと建具の裏面側に取り付けられるハンドルとを備えていると共に、
本体は、建具の表面側に取り付けられるハンドルの差し込み部に対するロック部材と、建具の裏面側に取り付けられるハンドルの差し込み部に対するロック部材とを有していることを特徴とする請求項１又は請求項２に記載のハンドル装置。
【請求項４】
建具の表面側に取り付けられるハンドルの差し込み部に対するロック部材における建具の前端部に臨んだ一部、及び建具の裏面側に取り付けられるハンドルの差し込み部に対するロック部材における建具の前端部に臨んだ一部の、いずれか一方の上方に他方が位置されるようになっていることを特徴とする請求項３に記載のハンドル装置。
【請求項５】
ハンドルの差し込み部の頭部は、顎部に向かうに連れて次第に外径を大きくするように形成されていることを特徴とする請求項２に記載のハンドル装置。
【発明の詳細な説明】
【技術分野】
【０００１】
この発明は、横引き開閉の建具に備えられて、かかる建具のこの開閉操作に利用されるハンドル装置の改良に関する。
【背景技術】
【０００２】
横引き開閉の建具のこの開閉操作に利用される取っ手を、かかる建具に取り外し可能に取り付けさせるようにしたものとして、特許文献１に示されるものがある。この特許文献１のものでは、建具に取り付けられる台座に、取っ手に設けられた頭部と首部とからなる連結部のこの頭部を通す穴と頭部は通さないが首部は通す穴を連通状態に設けており、前者の穴に頭部を挿通させた後に後者の穴に首部が入る位置まで取っ手をスライドさせることで建具に取っ手を取り付けることができ、また、取り付けられた取っ手はこれと逆向きに取っ手をスライドさせることで建具から取り外せるようになっている。しかるに、この特許文献１のものにあっては、第一に、建具への取り付け及び取り外しに前記スライド操作を要すると共に、取り外し時には前記の穴を建具の表面あるいは裏面に目立った形で現せてしまうものであった。
【先行技術文献】
【特許文献】
【０００３】
【特許文献１】実公平７−４３００号公報
【発明の概要】
【発明が解決しようとする課題】
【０００４】
この発明が解決しようとする主たる問題点は、この種のハンドル装置を構成するハンドルを建具に対しより容易に取り付け及び取り外しできるようにすると共に、このような機能が建具の外観にできる限り影響を与えないようにする点にある。
【課題を解決するための手段】
【０００５】
前記課題を達成するために、この発明にあっては、ハンドル装置を、横引き開閉の建具に取り付けられる本体と、この本体を通じて前記建具に着脱可能に取り付けられるハンドルとを有しており、
前記本体は、前記建具の開閉方向に沿った往復動可能に支持されると共にこの建具における前記開閉方向に直交する前端部に一部を臨ませたロック部材と、このロック部材の付勢部材とを備えており、
前記ハンドルは前記建具の開閉方向に沿った面側から本体内に差し込まれる差し込み部を有しており、
差し込まれる差し込み部により前記付勢部材の付勢に抗してロック部材が往動されると共に、この付勢によるこの差し込みの終了位置でのロック部材の復動によってロック部材が差し込まれた差し込み部に係合されるようになっているものとした。
【０００６】
かかる構成によれば、建具の開閉方向に沿った面側から本体内にハンドルの差し込み部を差し込むことで、建具にハンドルを容易に取り付けることができる。また、建具の前記前端部に臨んだロック部材の一部を利用して前記付勢部材の付勢に抗する向きにロック部材を往動させせることにより、このロック部材によるハンドルの差し込み部に対する係合を解いて、建具からハンドルを容易に取り外すことができる。かかるハンドルの取り外しに利用される前記ロック部材の一部は建具の前記前端部に位置されることから、かかる取り外し機能が建具の外観に与える影響を最小にできる特長を有している。
【０００７】
前記ハンドルの差し込み部のその差し込み先端に頭部を備えさせると共に、ロック部材に、前記差し込み部の頭部の通過部と、この頭部により形成される前記差し込み部の顎部に対する係合穴部とを、通過部に係合穴部を連通させるようにして備えさせておけば、本体内への差し込み部の差し込みに伴って頭部を係合穴部の穴縁に当接させることで前記付勢部材の付勢に抗してロック部材を往動させるようにすることができると共に、差し込み終了位置でロック部材を復動させて前記顎部に係合穴部を係合させることができる。この場合には、前記ハンドルの差し込み部の頭部を、顎部に向かうに連れて次第に外径を大きくするように形成されておくことが、好ましい態様の一つとされる。
【０００８】
前記ハンドル装置を前記建具の表面側に取り付けられるハンドルと建具の裏面側に取り付けられるハンドルを備えるものとすると共に、前記本体が建具の表面側に取り付けられるハンドルの差し込み部に対するロック部材と、建具の裏面側に取り付けられるハンドルの差し込み部に対するロック部材とを有するものとすれば、これらのハンドルを、前記本体を通じて同時に建具に取り付けることができる。この場合には、建具の表面側に取り付けられるハンドルの差し込み部に対するロック部材における建具の前端部に臨んだ一部、及び建具の裏面側に取り付けられるハンドルの差し込み部に対するロック部材における建具の前端部に臨んだ一部の、いずれか一方の上方に他方が位置されるようにしてをくことが、好ましい態様の一つとされる。
【発明の効果】
【０００９】
この発明によれば、ハンドル装置を構成するハンドルは、建具に取り付けられた本体内にハンドルの差し込み部を差し込むだけで容易に取り付けることができ、また、建具の前端部に臨んだロック部材の一部の操作によって前記付勢部材の付勢に抗してロック部材を往動させることで容易に取り外すことができる。ロック部材の前記一部は建具の前端部に位置され、また、ハンドルを取り外した状態においても建具の開閉方向に沿った面には前記差し込み部の差し込みのための必要最小限の大きさの穴が表れるだけであるので、このような機能が建具の外観にできる限り影響を与えないようにすることができる。
【図面の簡単な説明】
【００１０】
【図１】図１は両引き戸にハンドル装置を取り付けた様子を示した斜視図である。
【図２】図２は引き戸におけるハンドル装置の取り付け箇所の斜視図である。
【図３】図３は図２における右側のハンドルを取り外した状態を示した斜視図である。
【図４】図４はハンドルを差し込み部の突きだし側から見た斜視図である。
【図５】図５はハンドル装置を構成する前後のハンドルと、上下の本体とを、本体を構成するベースからこのベースの一面側を塞ぐカバーを取り外した状態で示した斜視図である。
【図６】図６は本体を構成する各部材を分離させた状態で示した斜視図である。
【図７】図７は本体をその一面側からカバーを取り外した状態で示した斜視図である。
【図８】図７におけるＡ−Ａ線位置での断面図である。
【図９】図９は本体をその一面側からカバーを取り外した状態で示した斜視図である。
【図１０】図１０は図９におけるＢ−Ｂ線位置での断面図である。
【図１１】図１１は図７及び図８の状態から本体を構成する二個のロック部材の一方をハンドルの差し込み部に対する係合を解く位置までこのロック部材の一部を押圧して移動させた様子を示した斜視図である。
【発明を実施するための形態】
【００１１】
以下、図１〜図１１に基づいて、この発明の典型的な実施の形態について、説明する。この実施の形態にかかるハンドル装置６は、横引き開閉の建具１に備えられて、かかる建具１のこの開閉操作に利用されるものである。かかるハンドル装置６は、典型的には、引き戸や引き込み戸に備えられて、これらの開閉操作に利用されるものである。図示の例では、かかるハンドル装置６を、両引き戸の開閉操作に利用した例を示している。図中符号２は壁、符号３は出入り口、符号４は戸枠、符号５は戸枠の戸当たり部、符号１ａは引き戸を示している。
【００１２】
かかるハンドル装置６は、前記建具１に取り付けられる本体７と、この本体７を通じて前記建具１に着脱可能に取り付けられるハンドル８とを有している。
図示の例では、本体７は、建具１の前端側（閉じ操作のときに先に位置される側、引き戸であれば戸先側）であってその上下方向略中程の位置において、建具１に内蔵されるようになっている。図示の例では、二個の本体７、７を上下に間隔を開けて建具１に内蔵させている。建具１の開閉方向ｘに沿った面１ｂ（表面及び裏面）にはそれぞれ、本体７内の空間に後述する本体７のカバー７１に設けた穴７１ａを通じて連通した貫通孔１ｃが形成されている。また、建具１の開閉方向ｘに直交する前端部１ｄ、図示の例では引き戸１ａにおける戸当たり部５に突き当たる戸先部には、建具１内の本体７の収納空間１ｅ（彫り込み）に連通した開放部１ｆが形成されており、本体７はこの開放部１ｆを通じて建具１の前端部１ｄにその一部を臨ませている。
【００１３】
ハンドル８は、前記建具１の開閉方向ｘに沿った面１ｂ側から本体７内に差し込まれる差し込み部８２を有している。図示の例では、かかるハンドル８は、上下方向に長い棒状をなす把持部８０と、この把持部８０の長さ方向に直交する向きにこの把持部８０から突き出すように設けられた脚部８１とを有している。脚部８１は上下に箇所にそれぞれ設けられている。そして、上下の脚部８１の突きだし端にそれぞれ、前記差し込み部８２が形成されている。図示の例では、上側の脚部８１は前記貫通孔１ｃを通じて上側の本体７内に差し込まれ、下側の脚部８１は前記貫通孔１ｃを通じて下側の本体７内に差し込まれるようになっている。
【００１４】
図示の例では、建具１の表面側に取り付けられるハンドル８と、建具１の裏面側に取り付けられるハンドル８とが、前記のように建具１に内蔵される本体７を通じて同時に建具１に取り付けられるようになっている。
【００１５】
また、前記本体７は、前記建具１の開閉方向ｘに沿った往復動可能に支持されると共にこの建具１における前記開閉方向ｘに直交する前端部１ｄに一部７２ａを臨ませたロック部材７２と、このロック部材７２の付勢部材７３とを備えている。そして、前記のように差し込まれる差し込み部８２により前記付勢部材７３の付勢に抗してロック部材７２が往動されると共に、この付勢によるこの差し込みの終了位置でのロック部材７２の復動によってロック部材７２が差し込まれた差し込み部８２に係合されるようになっている。
【００１６】
これにより、この実施の形態にかかるハンドル装置６にあっては、建具１の開閉方向ｘに沿った面１ｂ側から本体７内にハンドル８の差し込み部８２を差し込むことで、建具１にハンドル８を容易に取り付けることができる。また、建具１の前記前端部１ｄに臨んだロック部材７２の一部７２ａを利用して前記付勢部材７３の付勢に抗する向きにロック部材７２を往動させせることにより、このロック部材７２によるハンドル８の差し込み部８２に対する係合を解いて、建具１からハンドル８を容易に取り外すことができる。かかるハンドル８の取り外しに利用される前記ロック部材７２の一部７２ａは建具１の前記前端部１ｄに位置されることから、かかる取り外し機能が建具１の外観に与える影響を最小にできる特長を有している。
【００１７】
この実施の形態にあっては、ハンドル８の差し込み部８２はその差し込み先端に頭部８２ｂを有していると共に、ロック部材７２は前記差し込み部８２の頭部８２ｂの通過部７２ｄと、この通過部７２ｄに連通してこの頭部８２ｂにより形成される前記差し込み部８２の顎部８２ｃに対する係合穴部７２ｆとを備えている。
【００１８】
図示の例では、ハンドル８の差し込み部８２は、短寸円柱状の基部８２ａと、截頭円錐状をなす頭部８２ｂと、この基部８２ａと頭部８２ｂとの間に亘る頸部８２ｄとを備えている。従って、かかるハンドル８の差し込み部８２の頭部８２ｂは、その顎部８２ｃに向かうに連れて次第に外径を大きくするように形成されている。また、頭部８２ｂよりも基部８２ａは太く、基部８２ａの外径は建具１に形成された貫通孔１ｃの穴径と略等しく、さらに、脚部８１の突きだし端からの基部８２ａの突きだし寸法が建具１の表面及び裏面を構成する板材の厚さと略等しくなるようにしてある。
【００１９】
また、この実施の形態にあっては、本体７は、建具１の表面側に取り付けられるハンドル８の差し込み部８２に対するロック部材７２と、建具１の裏面側に取り付けられるハンドル８の差し込み部８２に対するロック部材７２とを有している。
【００２０】
また、この実施の形態にあっては、建具１の表面側に取り付けられるハンドル８の差し込み部８２に対するロック部材７２における建具１の前端部１ｄに臨んだ一部７２ａ、及び建具１の裏面側に取り付けられるハンドル８の差し込み部８２に対するロック部材７２における建具１の前端部１ｄに臨んだ一部７２ａの、いずれか一方の上方に他方が位置されるようになっている。
【００２１】
図示の例では、本体７は、ベース７０と、二枚のカバー７１、７１と、二個のロック部材７２、７２と、前記付勢部材７３を構成する二個の圧縮コイルバネ７３ａ、７３ａとから構成されている。（図６）
【００２２】
ベース７０は、上辺部７０ａ及び下辺部７０ｂと、この上辺部７０ａの奥端と下辺部７０ｂの奥端間に亘る奥辺部７０ｃとを備えている。上辺部７０ａの前端から上方に向けて、また、下辺部７０ｂの前端からは下方に向けて、それぞれ耳部７０ｄが延設されている。ベース７０は、上辺部７０ａの前端と下辺部７０ｂの前端との間で前方に開放されている。本体７は建具１に形成された、前記収納空間１ｅに、このベース７０の奥辺部７０ｃ側を先にして納められ、耳部７０ｄを使ってこの建具１の前端部１ｄに固定されるようになっている。
【００２３】
二枚のカバー７１、７１はそれぞれ方形の板状をなすように構成されている。二枚のカバー７１、７１の一方は、ベース７０の表面側において、前記上辺部７０ａにカバー７１の上辺を、下辺部７０ｂにカバー７１の下辺を、奥辺部７０ｃにカバー７１の奥辺を接しさせて、このベース７０の表面側を覆うようにベース７０に取り付けられる。また、二枚のカバー７１、７１の他方は、ベース７０の裏面側において、前記上辺部７０ａにカバー７１の上辺を、下辺部７０ｂにカバー７１の下辺を、奥辺部７０ｃにカバー７１の奥辺を接しさせて、このベース７０の裏面側を覆うようにベース７０に取り付けられる。
【００２４】
二個のロック部材７２、７２はそれぞれ、ベース７０内に前記往復動可能に納められた方形の板状をなす主体部７２ｃを有している。二個のロック部材７２、７２の一方はベース７０の表面側に位置されるカバー７１の内面に主体部７２ｃの外面を沿わせ、また二個のロック部材７２、７２の他方はベース７０の裏面側に位置されるカバー７１の内面に主体部７２ｃの外面を沿わせるようにして、ベース７０内に納められている。また、二個のロック部材７２、７２はそれぞれ、主体部７２ｃの前辺及び奥辺にそれぞれこの主体部７２ｃの内面との間に略直角の内隅を形成するようにして突き出す舌片部７２ｂを有している。二個のロック部材７２、７２の一方の舌片部７２ｂは主体部７２ｃの下辺側に偏った位置に形成され、また、二個のロック部材７２、７２の他方の舌片部７２ｂは主体部７２ｃの上辺側に偏った位置に形成されている。
【００２５】
かかる二個のロック部材７２、７２はそれぞれ、主体部７２ｃの前辺に設けられた舌片部７２ｂをベース７０の開放箇所に臨ませている。二個のロック部材７２、７２において、かかる舌片部７２ｂの形成位置は前記のように異なることから、ベース７０の開放箇所において、一方のロック部材７２の舌片部７２ｂの下方に他方のロック部材７２の舌片部７２ｂが位置される。すなわち、図示の例では、かかる舌片部７２ｂが前記ロック部材７２の一部７２ａとして機能するようになっている。
【００２６】
また、図示の例では、二個のロック部材７２、７２の主体部７２ｃの奥辺に形成された舌片部７２ｂと、ベース７０の奥辺部７０ｃの内面との間にそれぞれ、圧縮コイルバネ７３ａが介在されている。図示の例では、ベース７０における二個のロック部材７２、７２の主体部７２ｃの内面間に位置される箇所には、ベース７０の奥辺部７０ｃとの間に前記圧縮コイルバネ７３ａを収納できる間隔を開けて、このベース７０の上辺部７０ａと下辺部７０ｂ間に亘る隔壁７４が形成されている。二個のロック部材７２、７２は、かかる圧縮コイルバネ７３ａによって、前記主体部７２ｃの奥辺に形成された舌片部７２ｂを隔壁７４の奥端面７４ａに接しさせ、かつ、主体部７２ｃの前辺に形成された舌片部７２ｂと隔壁７４の前端面７４ｂとの間に間隔を開けた位置に通常は位置づけられるようになっている。
【００２７】
ロック部材７２の主体部７２ｃにはそれぞれ、前記通過部７２ｄとなる穴７２ｅが形成されていると共に、この通過部７２ｄとなる穴７２ｅには主体部７２ｃの奥辺側において前記係合穴部７２ｆが連通している。通過部７２ｄとなる穴７２ｅは頭部８２ｂより大きく角穴状を呈している。係合穴部７２ｆは頭部８２ｂより小さいが前記頸部８２ｄを通過させる大きさとなっている。具体的には、係合穴部７２ｆは頸部８２ｄの外径と略等しい仮想の円をこの円の接線に平行な線分をもって破断したような形状を有し、この破断側で通過部７２ｄとなる穴７２ｅに連通されている。また、前記カバー７１及び隔壁７４にはそれぞれハンドル８の差し込み部８２の頭部８２ｂを受け入れる穴７１ａ、７４ｃが形成されている。二枚のカバー７１、７１の穴７１ａ、ロック部材７２の通過部７２ｄ、および隔壁７４の穴７４ｃは、同軸上に配されるようになっており、建具１の表面側に取り付けられるハンドル８の差し込み部８２の頭部８２ｂはこの表面側から隔壁７４の穴７４ｃに入り込み、建具１の裏面側に取り付けられるハンドル８の差し込み部８２の頭部８２ｂはこの裏面側から隔壁７４の穴７４ｃに入り込むようになっている。これにより、本体７を構成するベース７０の構造の簡素化及び本体７のコンパクト化が図られている。
【００２８】
ロック部材７２は、前記圧縮コイルバネ７３ａの付勢により、前記往動前の状態では、カバー７１及び隔壁７４の穴７１ａ、７４ｃにおける奥側の穴縁よりも前方に前記係合穴部７２ｆの穴縁を位置させた状態でかかる係合穴部７２ｆをこれらの穴７１ａ、７４ｃに連通させるようになっている。（図７〜図１０）これにより、本体７内に差し込まれたハンドル８の差し込み部８２を差し込みきった状態において、この差し込み部８２の前記顎部８２ｃに係合穴部７２ｆの穴縁が引っかかり、隔壁７４の穴内に頭部８２ｂを納めた差し込み部８２の本体７内からの抜け出しが阻止され、本体７を介して建具１に対しハンドル８は取り付けられる。（図８、図１０）この状態から、建具１の前端部１ｄに臨んだロック部材７２の一部７２ａ、すなわち前記主体部７２ｃの舌片部７２ｂを押圧操作すると、ロック部材７２を前記付勢に抗してカバー７１及び隔壁７４の穴７１ａ、７４ｃにおける奥側の穴縁よりも前方に前記係合穴部７２ｆの穴縁を位置させない位置まで往動させることができる。（図１１）このロック部材７２の往動により前記差し込み部８２に対するロック部材７２の係合が解かれて建具１からハンドル８を取り外すことが可能となる。図示の例では、建具１の表面及び裏面のいずれの側においても、上側に配される本体７とハンドル８の上側に位置される差し込み部８２との係合を前記のように解くと共に、下側に配される本体７とハンドル８の下側に位置される差し込み部８２との係合を前記のように解かない限り、建具１からハンドル８を取り外すことができないようになっている。建具１から取り外したハンドル８の差し込み部８２を建具１に設けた前記貫通孔１ｃを通じて本体７内に差し込むと、この差し込み部８２の頭部８２ｂがカバー７１及び隔壁７４の穴７１ａ、７４ｃにおける奥側の穴縁よりも前方に位置させる前記係合穴部７２ｆの穴縁に当接して前記圧縮コイルバネ７３ａの付勢に抗してロック部材７２は往動され、この穴縁よりも先への頭部８２ｂの入り込みが許容されると共に、この穴縁より先に頭部８２ｂが入り込むと前記付勢によりロック部材７２は復動され、差し込み部８２の前記顎部８２ｃに係合穴部７２ｆの穴縁が再び引っかかる。これにより、建具１にワンタッチでハンドル８を取り付けることができるようになっている。図示の例では、前記のようにハンドル８の差し込み部８２の頭部８２ｂは、顎部８２ｃに向かうに連れて次第に外径を大きくするように形成されていることから、この頭部８２ｂの前記係合穴部７２ｆのこの穴縁への当接により前記圧縮コイルバネ７３ａの付勢に抗してロック部材７２はスムースに往動される。
【符号の説明】
【００２９】
ｘ  開閉方向
１  建具
１ｂ  開閉方向ｘに沿った面
１ｄ  前端部
７  本体
７２  ロック部材
７３  付勢部材
８  ハンドル
８２  差し込み部
【図１】
2012077461.tif 000003
【図２】
2012077461.tif 000004
【図３】
2012077461.tif 000005
【図４】
2012077461.tif 000006
【図５】
2012077461.tif 000007
【図６】
2012077461.tif 000008
【図７】
2012077461.tif 000009
【図８】
2012077461.tif 000010
【図９】
2012077461.tif 000011
【図１０】
2012077461.tif 000012
【図１１】
2012077461.tif 000013